(57)【要約】【課題】無線通信においても機器同士の認証を行って、送信機器と受信機器を任意に組み合わせることを可能とする。【解決手段】データ送信装置１００に備わる、機器情報取得部１１２は接続されている機器情報を取得し、検証部１１４は機器情報取得部１１２により取得された機器情報に基づいて、データ受信装置２００ａの正当性を検証し、制御部１０４は無線通信部１１８を介して機器情報を取得させるか有線通信部１２０を介して機器情報を取得させるか否か、検証部１１４によりデータ受信装置２００ａが正当であるとことが検証された場合に第１暗号化部１０６により暗号化された画像情報を無線通信部１１８により送信させるか第２暗号化部１０８により暗号化された画像情報を有線通信部１２０により送信させるか否かを制御する。【選択図】図２
2010021875.tif 000002
【特許請求の範囲】
【請求項１】
入力されたコンテンツの画像情報を第１の暗号方式により暗号化する第１暗号化部と、
前記第１暗号化部により暗号化された画像情報を無線通信により送信する無線通信部と、
入力されたコンテンツの画像情報を第２の暗号方式により暗号化する第２暗号化部と、
前記第２暗号化部により暗号化された画像情報を有線通信により送信する有線通信部と、
接続されている機器情報を取得する機器情報取得部と、
前記機器情報取得部により取得された前記機器情報に基づいて、前記データ受信装置の正当性を検証する検証部と、
前記無線通信部を介して前記機器情報を取得させるか前記有線通信部を介して前記機器情報を取得させるか否か、前記検証部により前記データ受信装置が正当であるとことが検証された場合に前記第１暗号化部により暗号化された画像情報を前記無線通信部により送信させるか前記第２暗号化部により暗号化された画像情報を前記有線通信部により送信させるか否かを制御する制御部と、
を備える、データ送信装置。
【請求項２】
前記制御部は、前記データ受信装置と無線通信により接続されている場合に、前記検証部により前記データ受信装置の正当性を検証し、前記第１暗号化部により前記画像情報を暗号化する、請求項１に記載のデータ送信装置。
【請求項３】
前記機器情報取得部は、外部装置から不正機器の情報を取得し、
前記検証部は、前記機器情報取得部により取得された不正機器の情報に、前記データ受信装置の機器情報が含まれていない場合に、前記データ受信装置を正当な機器であると判断する、請求項１または２のいずれかに記載のデータ送信装置。
【請求項４】
前記第１暗号化部は、前記コンテンツの画像情報に応じて前記画像情報を圧縮したのちに前記第１の暗号方式により暗号化する、請求項１〜３のいずれかに記載のデータ送信装置。
【請求項５】
前記第２暗号化部は、前記コンテンツの画像情報を前記第２の暗号方式により暗号化したのちに前記暗号化されたコンテンツの画像情報をＴＭＤＳ変換する、請求項１〜４のいずれかに記載のデータ送信装置。
【請求項６】
前記有線通信部は、ＴＭＤＳ回路によりコンテンツの画像情報を送信する、請求項１〜５のいずれかに記載のデータ送信装置。
【請求項７】
前記検証部は、ＨＤＣＰ規格に基づいて前記データ受信装置の検証をする、請求項１〜６のいずれかに記載のデータ送信装置。
【請求項８】
接続されているデータ送信装置から無線通信によりコンテンツの画像情報を受信する無線通信部と、
前記受信されたコンテンツの画像情報を第１の復号方式により復号化する第１復号化部と、
接続されているデータ送信装置から有線通信によりコンテンツの画像情報を受信する有線通信部と、
前記受信されたコンテンツの画像情報を第２の復号方式により復号化する第２復号化部と、
接続されている機器情報を取得する機器情報取得部と、
前記機器情報取得部により取得された前記機器情報に基づいて、接続されている機器の正当性を検証する検証部と、
前記無線通信部を介して前記機器情報を取得させるか前記有線通信部を介して前記機器情報を取得させるか否か、前記検証部により前記接続されている機器が正当であることが検証された場合に前記無線通信部により前記画像情報を受信して前記第１復号化部により前記画像情報を復号化させるか前記有線通信部により前記画像情報を受信して前記第２復号化部により前記画像情報を復号化させるか否かを制御する制御部と、
を備える、データ受信装置。
【請求項９】
前記制御部は、前記機器と無線通信により接続されている場合に、前記検証部により前記機器の正当性を検証し、前記第１復号化部により前記画像情報を復号化する、請求項８に記載のデータ受信装置。
【請求項１０】
前記機器情報取得部は、外部装置から不正機器の情報を取得し、
前記検証部は、前記機器情報取得部により取得された不正機器の情報に、前記接続されている機器の情報が含まれていない場合に、前記接続されている機器を正当な機器であると判断する、請求項８または９のいずれかに記載のデータ受信装置。
【請求項１１】
前記第１復号化部は、前記コンテンツの画像情報に応じて前記画像情報を圧縮したのちに前記第１の暗号方式により復号化する、請求項８〜１０のいずれかに記載のデータ受信装置。
【請求項１２】
前記第２復号化部は、前記コンテンツの画像情報を前記第２の復号方式により暗号復号化したのちに前記復号化されたコンテンツの画像情報をＴＭＤＳ変換する、請求項８〜１１のいずれかに記載のデータ受信装置。
【請求項１３】
前記有線通信部は、ＴＭＤＳ回路によりコンテンツの画像情報を受信する、請求項８〜１２のいずれかに記載のデータ受信装置。
【請求項１４】
前記検証部は、ＨＤＣＰ規格に基づいて前記接続されている機器の検証をする、請求項８〜１３のいずれかに記載のデータ受信装置。
【請求項１５】
接続されているデータ送信装置と無線通信によりコンテンツの画像情報を受信する無線通信部と、
前記受信したコンテンツの画像情報を第１の復号方式により復号化する第１復号化部と、
接続されているデータ送信装置と有線通信によりコンテンツの画像情報を受信する有線通信部と、
前記受信したコンテンツの画像情報を第２の復号方式により復号化する第２復号化部と、
データ受信装置の機器情報を送信する機器情報送信部と、
前記機器情報送信部により送信された前記機器情報に基づいて前記データ送信装置により検証された、前記データ受信装置の正当性の検証結果を取得する検証結果取得部と、
前記無線通信部を介して前記機器情報を送信させるか前記有線通信部を介して前記機器情報を送信させるか否か、前記検証結果取得部により前記データ受信装置が正当であるとの検証結果を取得した場合に前記無線通信部により前記画像情報を受信して前記第１復号化部により復号させるか前記有線通信部により前記画像情報を受信して前記第２復号化部により復号させるか否かを制御する制御部と、
前記第１復号化部または前記第２復号化部により復号された前記画像情報を含む表示画面を生成する表示画面生成部と、
を備える、データ受信装置。
【請求項１６】
前記表示画面生成部は、前記データ受信装置に組み込まれた表示装置に備えられ、
前記機器情報送信部は、前記表示装置の機器情報を送信し、
前記検証結果取得部は、前記表示装置の機器情報に基づいてデータ送信装置により検証された、前記データ受信装置の正当性の検証結果を取得する、請求項１５に記載のデータ受信装置。
【請求項１７】
前記第１の復号方式は、無線通信によりコンテンツの画像情報を送信する場合に用いられる復号方式である、請求項１５または１６のいずれかに記載のデータ受信装置。
【請求項１８】
前記第２の復号方式は、有線通信で送信されたコンテンツの画像情報をＨＤＣＰ規格により復号する復号方式である、請求項１５〜１７のいずれかに記載のデータ受信装置。
【請求項１９】
前記有線通信部は、ＴＭＤＳ回路によりコンテンツの画像情報を受信する、請求項１５〜１８のいずれかに記載のデータ送信装置。
【請求項２０】
前記検証結果取得部は、ＨＤＣＰ規格に基づいて検証された前記データ受信装置の正当性の検証結果を取得する、請求項１５〜１９のいずれかに記載のデータ送信装置。
【請求項２１】
入力されたコンテンツの画像情報を第１の暗号方式により暗号化するステップと、
入力されたコンテンツの画像情報を第２の暗号方式により暗号化するステップと、
無線通信によりコンテンツの画像情報を受信する無線通信部を介して接続されている機器の機器情報を取得させるか、有線通信によりコンテンツの画像情報を受信する有線通信部を介して前記機器情報を取得させるか否かを判断して、接続されている機器の機器情報を取得するステップと、
前記取得された機器情報に基づいて、データ受信装置の正当性を検証するステップと、
前記データ受信装置が正当であるとことが検証された場合に前記第１の暗号方式により暗号化された画像情報を無線通信部により送信させるか前記第２の暗号方式により暗号化された画像情報を有線通信部により送信させるか否かを制御するステップと、
を含む、データ送信方法。
【請求項２２】
データ送信装置から受信したコンテンツの画像情報を第１の復号方式により復号化するステップと、
前記データ送信装置から受信したコンテンツの画像情報を第２の復号方式により復号化するステップと、
無線通信によりコンテンツの画像情報を受信する無線通信部を介して接続された機器の機器情報を取得させるか、有線通信によりコンテンツの画像情報を受信する有線通信部を介して前記機器情報を取得させるか否かを制御するステップと、
前記接続された機器の情報を取得するステップと、
前記取得された機器情報に基づいて、前記接続されている機器の正当性を検証するステップと、
前記接続されている機器が正当であるとことが検証された場合に前記無線通信部により受信して前記第１の復号方式により復号化させるか前記有線通信部により受信して前記第２の復号方式により復号化させるか否かを制御するステップと、
を含む、データ受信方法。
【請求項２３】
データ送信装置から受信したコンテンツの画像情報を第１の復号方式により復号化するステップと、
前記データ送信装置から受信したコンテンツの画像情報を第２の復号方式により復号化するステップと、
無線通信によりコンテンツの画像情報を受信する無線通信部を介してデータ受信装置の機器情報を送信させるか、有線通信によりコンテンツの画像情報を受信する有線通信部を介して前記機器情報を送信させるか否かを制御するステップと、
前記機器情報を送信するステップと、
前記送信された機器情報に基づいて前記データ送信装置により検証された、前記データ受信装置の正当性の検証結果を取得するステップと、
前記データ受信装置が正当であるとの検証結果を取得した場合に前記無線通信部により前記画像情報を受信して前記第１復号化部により復号させるか前記有線通信部により前記画像情報を受信して前記第２復号化部により復号させるか否かを制御するステップと、
前記第１復号化部または前記第２復号化部により復号された前記画像情報を含む表示画面を生成するステップと、
を含む、データ受信方法。
【発明の詳細な説明】
【技術分野】
【０００１】
本発明は、データ送信装置、データ受信装置、データ送信方法およびデータ受信方法に関し、特に、無線通信において機器の正当性を検証するデータ送信装置、データ受信装置、データ送信方法およびデータ受信方法に関する。
【背景技術】
【０００２】
従来、音楽コンテンツ、映像コンテンツ等の著作権の保護を目的に、例えばＨＤＭＩ（Ｈｉｇｈ−Ｄｅｆｉｎｉｔｉｏｎ
Ｍｕｌｔｉｍｅｄｉａ Ｉｎｔｅｒｆａｃｅ）等の種々のプロトコルが提案されている。コンテンツの保護方式としては、例えばＨＤＣＰ（Ｈｉｇｈ−ｂａｎｄｗｉｄｔｈ Ｄｉｇｉｔａｌ
Ｃｏｎｔｅｎｔ Ｐｒｏｔｅｃｔｉｏｎ ｓｙｓｔｅｍ）が使用される。ＨＤＣＰ規格では、送信側と受信側の機器認証や認証のための鍵の共有方式、伝送されるコンテンツの暗号方式などが規定されている。
【０００３】
ＨＤＣＰ規格などの認証においては、公開鍵暗号により通信相手の装置を個別に認証するためのデバイス鍵が利用されている。送信装置と受信装置の間で認証が成功すると、送信装置はデバイス鍵を用いて映像信号を暗号化して送信し、受信装置はデバイス鍵を用いて受信された映像信号を復号する。
【０００４】
また、ＨＤＣＰ規格においては、上記の認証処理が実施されるとともに、受信装置が不正な機器か否かを判断するいわゆるＲｅｖｏｃａｔｉｏｎ処理（以下、リボケーション処理と称する。）が実施される。リボケーション処理により、受信装置が不正な機器ではないことが判断されたのちに、初めて暗号化伝送が可能となる。
【０００５】
ところで、画像信号を無線で送信する機器の場合においても、記録再生装置等のＳｏｕｒｃｅ機器（以下、ソース機器と称する。）と無線機器（データ送信装置）、無線機器（データ受信装置）とディスプレイ等のＳｉｎｋ機器（以下、シンク機器と称する。）がそれぞれＨＤＭＩ等を用いてセキュアに接続されている場合は、各機器に収納されたセキュリティ情報を用いて機器同士が相互に正規の機器であるかを判別できる。これにより、異なる送受信機器間での信号伝送を許容することが可能となる。
【０００６】
【特許文献１】特開２００３−３７５９１号公報
【特許文献２】特開２００６−１２８９６３号公報
【発明の開示】
【発明が解決しようとする課題】
【０００７】
しかし、例えば、データ受信装置がディスプレイ等に埋め込まれ、受信側にＨＤＣＰ等のセキュリティ情報が収納されていない場合には、必ず特定のデータ送信装置と対にして使用しなければ不正コピーからコンテンツを保護することができず、使い勝手が悪いという問題があった。
また、無線通信ではＤＣＴ／Ｗａｖｅｌｅｔ変換等を利用した方法により画像信号に応じた画像データの圧縮等を行い、転送レートを低減させて画像データを送信している。そのため、ＨＤＣＰによりコンテンツデータが暗号化されると、コンテンツデータを復号化したのちに無線通信により画像データを送信するため再度コンテンツデータを暗号化しなければならず、処理が複雑となるという問題があった。
【０００８】
そこで、本発明は、上記問題に鑑みてなされたものであり、本発明の目的とするところは、無線通信による暗号化をするとともに機器の正当性を検証することが可能な、新規かつ改良されたデータ送信装置、データ受信装置、データ送信方法およびデータ受信方法を提供することにある。
【課題を解決するための手段】
【０００９】
上記課題を解決するために、本発明のある観点によれば、入力されたコンテンツの画像情報を第１の暗号方式により暗号化する第１暗号化部と、第１暗号化部により暗号化された画像情報を無線通信により送信する無線通信部と、入力されたコンテンツの画像情報を第２の暗号方式により暗号化する第２暗号化部と、第２暗号化部により暗号化された画像情報を有線通信により送信する有線通信部と、接続されている機器情報を取得する機器情報取得部と、機器情報取得部により取得された機器情報に基づいて、データ受信装置の正当性を検証する検証部と、無線通信部を介して機器情報を取得させるか有線通信部を介して機器情報を取得させるか否か、検証部によりデータ受信装置が正当であるとことが検証された場合に第１暗号化部により暗号化された画像情報を無線通信部により送信させるか第２暗号化部により暗号化された画像情報を有線通信部により送信させるか否かを制御する制御部と、を備える、データ送信装置が提供される。
【００１０】
かかる構成によれば、無線通信によりデータ受信装置と接続する場合には、無線通信部を介してデータ受信装置の機器情報を取得し、データ受信装置が正当であるとことが検証された場合に第１暗号化部により暗号化された画像情報を無線通信部により送信する。また有線通信によりデータ受信装置と接続する場合には、有線通信部を介してデータ受信装置の機器情報を取得し、データ受信装置が正当であるとことが検証された場合に第２暗号化部により暗号化された画像情報を有線通信部により送信する。
【００１１】
これにより、無線通信においてコンテンツの画像情報を送信する場合には、通常無線通信で用いられる第１の暗号方式で暗号化することができる。また無線通信においても機器情報の正当性を検証することができる。無線通信を行う場合でも、有線入力のセキュリティ情報を利用してデータ受信装置の正当性を認証することができるため、受信側にＨＤＣＰのセキュリティ情報が収納されていない場合でも、特定の送信装置以外の機器との間で著作権を保護してコンテンツデータの送受信ができることとなる。
【００１２】
また、制御部は、データ受信装置と無線通信により接続されている場合に、検証部によりデータ受信装置の正当性を検証し、第１暗号化部により画像情報を暗号化してもよい。また、機器情報取得部は、外部装置から不正機器の情報を取得し、検証部は、機器情報取得部により取得された不正機器の情報に、データ受信装置の機器情報が含まれていない場合に、データ受信装置を正当な機器であると判断してもよい。
【００１３】
また、第１暗号化部は、コンテンツの画像情報に応じて画像情報を圧縮したのちに第１の暗号方式により暗号化してもよい。また、第２暗号化部は、コンテンツの画像情報を第２の暗号方式により暗号化したのちに暗号化されたコンテンツの画像情報をＴＭＤＳ変換してもよい。
【００１４】
また、有線通信部は、ＴＭＤＳ回路によりコンテンツの画像情報を送信してもよい。  また、検証部は、ＨＤＣＰ規格に基づいてデータ受信装置の検証をするようにしてもよい。
【００１５】
また、上記課題を解決するために、本発明の別の観点によれば、接続されているデータ送信装置から無線通信によりコンテンツの画像情報を受信する無線通信部と、受信されたコンテンツの画像情報を第１の復号方式により復号化する第１復号化部と、接続されているデータ送信装置から有線通信によりコンテンツの画像情報を受信する有線通信部と、受信されたコンテンツの画像情報を第２の復号方式により復号化する第２復号化部と、接続されている機器情報を取得する機器情報取得部と、機器情報取得部により取得された機器情報に基づいて、接続されている機器の正当性を検証する検証部と、無線通信部を介して機器情報を取得させるか有線通信部を介して機器情報を取得させるか否か、検証部により接続されている機器が正当であることが検証された場合に無線通信部により画像情報を受信して第１復号化部により画像情報を復号化させるか有線通信部により画像情報を受信して第２復号化部により画像情報を復号化させるか否かを制御する制御部と、を備える、データ受信装置が提供される。
【００１６】
かかる構成によれば、無線通信によりデータ送信装置と接続する場合には、無線通信部を介してデータ送信装置からコンテンツの画像情報を受信し、無線通信により接続されている機器の機器情報を取得し、接続されている機器が正当であるとことが検証された場合に第１暗号化部により暗号化された画像情報を無線通信部により送信する。また有線通信によりデータ送信装置からコンテンツの画像情報を受信する場合には、有線通信部を介してデータ受信装置の機器情報を取得し、接続されている機器が正当であるとことが検証された場合に第２暗号化部により暗号化された画像情報を有線通信部により送信する。
【００１７】
これにより、無線通信においてコンテンツの画像情報を送受信する場合には、無線通信によりコンテンツの画像情報を受信して、通常無線通信で用いられる第１の暗号方式で暗号化することができる。また無線通信においても機器情報の正当性を検証することができる。無線通信を行う場合でも、有線入力用に装備されているセキュリティ情報を利用して接続されている機器の正当性を認証することができるため、受信側に無線用のＨＤＣＰのセキュリティ情報が収納されていない場合でも、特定の送信装置以外の機器との間で著作権を保護してコンテンツデータの送受信ができることとなる。例えば、データ受信装置から無線通信によりディスプレイ等のシンク機器にコンテンツの画像情報を送信する場合には、ディスプレイ等の有線入力のセキュリティ情報を利用してシンク機器の正当性を検証することが可能となる。
【００１８】
また、制御部は、機器と無線通信により接続されている場合に、検証部により機器の正当性を検証し、第１暗号化部により画像情報を暗号化してもよい。また、機器情報取得部は、外部装置から不正機器の情報を取得し、検証部は、機器情報取得部により取得された不正機器の情報に、接続されている機器の情報が含まれていない場合に、接続されている機器を正当な機器であると判断するようにしてもよい。
【００１９】
また、第１暗号化部は、コンテンツの画像情報に応じて画像情報を圧縮したのちに第１の暗号方式により暗号化してもよい。また、第２暗号化部は、コンテンツの画像情報を第２の暗号方式により暗号化したのちに暗号化されたコンテンツの画像情報をＴＭＤＳ変換してもよい。
【００２０】
また、有線通信部は、ＴＭＤＳ回路によりコンテンツの画像情報を受信するようにしてもよい。また、検証部は、ＨＤＣＰ規格に基づいて接続されている機器の検証をしてもよい。
【００２１】
上記課題を解決するために、本発明の別の観点によれば、接続されているデータ送信装置と無線通信によりコンテンツの画像情報を受信する無線通信部と、受信したコンテンツの画像情報を第１の復号方式により復号化する第１復号化部と、接続されているデータ送信装置と有線通信によりコンテンツの画像情報を受信する有線通信部と、受信したコンテンツの画像情報を第２の復号方式により復号化する第２復号化部と、データ受信装置の機器情報を送信する機器情報送信部と、機器情報送信部により送信された機器情報に基づいてデータ送信装置により検証された、データ受信装置の正当性の検証結果を取得する検証結果取得部と、無線通信部を介して機器情報を送信させるか有線通信部を介して機器情報を送信させるか否か、検証結果取得部によりデータ受信装置が正当であるとの検証結果を取得した場合に無線通信部により画像情報を受信して第１復号化部により復号させるか有線通信部により画像情報を受信して第２復号化部により復号させるか否かを制御する制御部と、第１復号化部または第２復号化部により復号された画像情報を含む表示画面を生成する表示画面生成部と、を備える、データ受信装置が提供される。
【００２２】
かかる構成によれば、無線通信によりデータ送信装置と接続する場合には、無線通信によりデータ受信装置の機器情報を送信して当該データ受信装置の正当性が確認された場合に、無線通信部を介してデータ送信装置からコンテンツの画像情報を受信する。そして、第１の復号方式によりコンテンツの画像情報を復号化して、復号化された画像情報を含む表示画面が生成される。また、有線通信によりデータ送信装置と接続する場合には、有線通信によりデータ受信装置の機器情報を送信して当該データ送信装置の正当性が確認された場合に、有線通信部を介してデータ送信装置からコンテンツの画像情報を受信する。そして、第２の復号方式によりコンテンツの画像情報を復号化して、復号化された画像情報を含む表示画面が生成される。
【００２３】
これにより、無線通信においてコンテンツの画像情報を送受信する場合には、無線通信によりコンテンツの画像情報を受信して、通常無線通信で用いられる第１の復号方式で復号化することができる。また、無線通信を行う場合でも、有線入力用のセキュリティ情報を利用して接続されている機器の正当性を認証することができるため、受信側に無線用ＨＤＣＰのセキュリティ情報が収納されていない場合でも、特定の送信装置以外の機器との間で著作権を保護してコンテンツデータの送受信ができることとなる。例えば、データ受信装置と表示装置とが一体となっている場合には、表示装置等の有線入力のセキュリティ情報を利用してデータ受信装置の正当性を検証することが可能となる。
【００２４】
また、表示画面生成部は、データ受信装置に組み込まれた表示装置に備えられ、機器情報送信部は、表示装置の機器情報を送信し、検証結果取得部は、表示装置の機器情報に基づいてデータ送信装置により検証された、データ受信装置の正当性の検証結果を取得するようにしてもよい。
【００２５】
また、第１の復号方式は、無線通信によりコンテンツの画像情報を送信する場合に用いられる復号方式であってもよい。第２の復号方式は、有線通信で送信されたコンテンツの画像情報をＨＤＣＰ規格により復号する復号方式であってもよい。
【００２６】
有線通信部は、ＴＭＤＳ回路によりコンテンツの画像情報を受信するようにしてもよい。検証結果取得部は、ＨＤＣＰ規格に基づいて検証されたデータ受信装置の正当性の検証結果を取得してもよい。
【００２７】
また、上記課題を解決するために、本発明の別の観点によれば、入力されたコンテンツの画像情報を第１の暗号方式により暗号化するステップと、入力されたコンテンツの画像情報を第２の暗号方式により暗号化するステップと、無線通信によりコンテンツの画像情報を受信する無線通信部を介して接続されている機器の機器情報を取得させるか、有線通信によりコンテンツの画像情報を受信する有線通信部を介して機器情報を取得させるか否かを制御するステップと、接続された機器の機器情報を取得するステップと、取得された機器情報に基づいて、データ受信装置の正当性を検証するステップと、データ受信装置が正当であるとことが検証された場合に第１の暗号方式により暗号化された画像情報を無線通信部により送信させるか第２の暗号方式により暗号化された画像情報を有線通信部により送信させるか否かを制御するステップと、を含む、データ送信方法が提供される。
【００２８】
また、上記課題を解決するために、本発明の別の観点によれば、データ送信装置から受信したコンテンツの画像情報を第１の復号方式により復号化するステップと、データ送信装置から受信したコンテンツの画像情報を第２の復号方式により復号化するステップと、無線通信によりコンテンツの画像情報を受信する無線通信部を介して接続された機器の機器情報を取得させるか、有線通信によりコンテンツの画像情報を受信する有線通信部を介して機器情報を取得させるか否かを制御するステップと、接続された機器の情報を取得するステップと、取得された機器情報に基づいて、接続されている機器の正当性を検証するステップと、接続されている機器が正当であるとことが検証された場合に無線通信部により受信して第１の復号方式により復号化させるか有線通信部により受信して第２の復号方式により復号化させるか否かを制御するステップと、を含む、データ受信方法が提供される。
【００２９】
また、上記課題を解決するために、本発明の別の観点によれば、データ送信装置から受信したコンテンツの画像情報を第１の復号方式により復号化するステップと、データ送信装置から受信したコンテンツの画像情報を第２の復号方式により復号化するステップと、無線通信によりコンテンツの画像情報を受信する無線通信部を介してデータ受信装置の機器情報を送信させるか、有線通信によりコンテンツの画像情報を受信する有線通信部を介して機器情報を送信させるか否かを制御するステップと、機器情報を送信するステップと、送信された機器情報に基づいてデータ送信装置により検証された、データ受信装置の正当性の検証結果を取得するステップと、データ受信装置が正当であるとの検証結果を取得した場合に無線通信部により画像情報を受信して第１復号化部により復号させるか有線通信部により画像情報を受信して第２復号化部により復号させるか否かを制御するステップと、第１復号化部または第２復号化部により復号された画像情報を含む表示画面を生成するステップと、を含む、データ受信方法が提供される。
【発明の効果】
【００３０】
以上説明したように本発明によれば、無線通信による暗号化をするとともに機器の正当性を検証することができる。
【発明を実施するための最良の形態】
【００３１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３２】
まず、本発明の実施形態にかかるデータ送受信システムの概要について説明する。図１（ａ）および（ｂ）は、本実施形態にかかるデータ送受信システム１および２の構成例を示した説明図である。図１（ａ）に示したように、データ送受信システム１は、記録再生装置等のソース機器４００と、データ送信装置１００と、データ受信装置２００と、ディスプレイ等のシンク機器３００などを含んで構成される。また、図１（ｂ）に示したように、データ送受信システム２は、記録再生装置等のソース機器４００と、データ受信装置１００と、ディスプレイ等のシンク機器（データ受信も行う）５００などを含んで構成される。
【００３３】
ソース機器４００は、テレビ番組や映画などのコンテンツを記録、再生する装置であって、ＨＤＣＰ（Ｈｉｇｈ−ｂａｎｄｗｉｄｔｈ
Ｄｉｇｉｔａｌ Ｃｏｎｔｅｎｔ Ｐｒｏｔｅｃｔｉｏｎ ｓｙｓｔｅｍ）等のコンテンツ保護方式を利用して、ソース機器４００の出力装置からコンテンツデータを出力させる機能を有する。ここで、ソース機器４００とデータ送信装置１００とは、例えばＨＤＭＩ（Ｈｉｇｈ−Ｄｅｆｉｎｉｔｉｏｎ
Ｍｕｌｔｉｍｅｄｉａ Ｉｎｔｅｒｆａｃｅ）等のインタフェース規格に対応し、ＴＭＤＳ（Ｔｒａｎｓｉｔｈｉｏｎ  Ｍｉｎｉｍｉｚｅｄ  Ｄｉｆｆｅｒｅｎｔｉａｌ  Ｓｉｇｎａｌｉｎｇ）等の伝送方式によりコンテンツデータを送信している。
【００３４】
データ送受信システム１においては、データ送信装置１００は、データ受信装置２００と無線通信により接続されており、データ送信装置１００から暗号化されたコンテンツデータがデータ受信装置２００に送信される。そして、データ受信装置２００により受信されたコンテンツデータが、有線接続されたテレビのディスプレイ等のシンク機器３００に表示される。
【００３５】
また、データ送受信システム２においても同様に、ソース機器４００からデータ受信装置２００を介してコンテンツデータが出力される。データ送信装置１００とデータ受信も行うシンク機器５００とは無線通信により接続されており、データ送信装置１００から暗号化されたコンテンツデータが送信され、シンク機器５００によりコンテンツデータが受信されて同機器内のディスプレイ等に表示される。
【００３６】
上記したように、ソース機器４００とデータ受信装置１００とはＨＤＣＰ等のコンテンツ保護方式を利用してコンテンツデータの送信等を行っている。上記ＨＤＣＰ規格では、送信側と受信側の機器認証や認証のための鍵共有方式、伝送されるコンテンツの暗号方式などが規定されている。また、ＨＤＣＰ規格の認証においては、公開鍵暗号により通信相手の装置を個別に認証するためのデバイス鍵が利用されている。送信装置と受信装置の間で認証が成功すると、送信装置はデバイス鍵を用いて映像信号を暗号化して送信し、受信装置はデバイス鍵を用いて受信された映像信号を復号する。
【００３７】
さらに、ＨＤＣＰ規格においては、上記の認証処理が実施されるとともに、受信装置が不正な機器か否かを判断するいわゆるＲｅｖｏｃａｔｉｏｎ処理（以下、リボケーション処理と称する。）が実施される。リボケーション処理により、受信装置が不正な機器ではないことが判断されたのちに、初めて暗号化伝送が可能となる。
【００３８】
図１（ａ）において、ソース機器４００とデータ送信装置１００の間だけでなく、データ受信装置２００とシンク機器３００とがそれぞれＨＤＭＩ等を用いてセキュアに接続されている場合は、各機器に収納されたセキュリティ情報を用いて機器同士が相互に正規の機器であるかを判別できる。これにより、異なる送受信機器間での信号伝送を許容することが可能となる。
【００３９】
しかし、図１（ｂ）に示したように、データ受信装置がディスプレイ等に埋め込まれており、シンク機器５００のＨＤＣＰ等のセキュリティ情報が利用できない場合においては、特定のデータ送信装置と対にして使用しなければ不正コピーを保護することができず、使い勝手が悪かった。また、無線通信ではＤＣＴ／Ｗａｖｅｌｅｔ変換等により画像信号に応じた画像データの圧縮等を行い、転送レートを低減させて画像データを送信している。そのため、ＨＤＣＰによりコンテンツデータが暗号化されると、コンテンツデータを復号化したのちに無線通信により画像データを送信するため再度コンテンツデータを暗号化しなければならなかった。
【００４０】
通常、ディスプレイ等のシンク機器５００には無線での入力のほかに有線入力が備えられている。そこで、本実施形態においては、有線入力のセキュリティ情報を利用してデータ受信装置２００およびシンク機器５００が正規の機器であることを認証する。有線入力のセキュリティ情報を利用することにより、無線通信においてもＨＤＣＰのリボケーション処理を行うことが可能となる。これにより、無線通信においてもＨＤＣＰによる機器の正当性の検証をすることができるため、受信側にＨＤＣＰのセキュリティ情報が収納されていない場合でも、特定の送信装置以外の機器との間で著作権を保護してコンテンツデータの送受信ができることとなる。
【００４１】
以上、データ送受信システム１および２の概要を説明した。まず、データ送受信システム２について説明する。まず、図２を参照してデータ送受信システム２の機能構成について説明する。
【００４２】
図２は、データ送信装置１００およびデータ受信も行うシンク機器５００のデータ受信部分の機能構成を示すブロック図である。本実施形態においては、データ送信装置１００とデータ受信装置５００とは無線通信または有線通信により接続することができる。また、データ送信装置１００にはコンテンツの画像情報が入力される。データ受信装置５００は、同機器内のシンク機器５００に画像情報が入力される。
【００４３】
図２に示したように、データ送信装置１００は、切替部１０２、制御部１０４、第１暗号化部１０６、第２暗号化部１０８、ＨＤＣＰ認証処理部１１０、機器情報取得部１１２、検証部１１４、記憶部１１６、無線通信部１１８、有線通信部１２０、切替部１２２、などを備える。データ受信装置５００は、切替部５０２、制御部５０４、第１暗号化部５０６、第２暗号化部５０８、ＨＤＣＰ認証処理部５１０、機器情報取得部５１２、検証部５１４、記憶部５１６、無線通信部５１８、有線通信部５２０、切替部５２２、などを備える。
【００４４】
ここで、データ送信装置１００およびデータ受信装置５００の機能構成の詳細を説明する前に、図３を参照して、ＨＤＣＰ規格における認証処理およびリボケーション処理について説明する。図３に示したように、コンテンツデータを送信する装置であるＴＸ１０とコンテンツデータを受信する装置であるＲＸ１０とがＨＤＭＩ接続されている。通常のＨＤＭＩ接続においては、画像信号を伝送するためのＴＭＤＳ信号の経路と、ＨＤＣＰの認証情報等を伝送するためのＤＤＣ信号の経路とがある。
【００４５】
ＨＤＭＩ接続されたＴＸ１０とＲＸ１０においては、ＨＤＣＰ規格による認証処理等を行っている。すなわち、ＨＤＣＰ規格では、以下の（１）〜（３）の処理を行うことによりコンテンツデータの著作権保護を実現している。
（１）ＴＸ１０とＲＸ１０との間の認証および共有鍵の共有
（２）共有鍵によるコンテンツデータの暗号／復号
（３）ＫＳＶによるリボケーション処理
【００４６】
上記（１）においては、ＴＸ１０とＲＸ１０に予め与えられた秘密鍵を利用して、ＴＸ１０とＲＸ１０との間で相互に認証を行うとともに、データを暗号化するのに必要な共有鍵をＴＸ１０とＲＸ１０とで共有する。共有鍵は、ＨＤＣＰ規格による認証処理の過程で、直接接続された機器間でのみ共有される。
【００４７】
上記（２）では、（１）の処理において共有した共有鍵を使用してＴＸ１０でデータを暗号化してＴＭＤＳにより伝送し、ＲＸ１０で共有鍵を用いてデータを復号する。
【００４８】
上記（３）では、ＨＤＣＰにおいて各機器の秘密鍵に応じて一意に定まるＫＳＶ（Ｋｅｙ  Ｓｅｌｅｃｔｉｏｎ  Ｖｅｃｔｏｒ）を用いてＲＸ１０が不正な機器か否かを判断するいわゆるリボケーション処理を行う。具体的には、ＲＸ１０は自身のＫＳＶをＴＸ１０に送信し、ＴＸ１０は不正な機器のＫＳＶのリストをソース機器等から取得する。そして、ＴＸ１０は、取得したＫＳＶのリストにＲＸ１０のＫＳＶが含まれているか否かを検証する。そして、ＫＳＶのリストにＲＸ１０のＫＳＶが含まれている場合にはＲＸ１０を不正を行った機器と見なして、コンテンツデータをＲＸ１０に送信しないようにする。
【００４９】
したがって、図３に示したＴＸ１０からＲＸ２０へのＴＭＤＳ１１によるコンテンツデータの伝送は、ＨＤＣＰによるリボケーション処理も含めた認証処理が成功したのちに行われる。これにより、コンテンツデータを不正な機器に送信することを防ぐことができるため、コンテンツデータの著作権を保護することが可能となる。以上、ＨＤＣＰ規格における認証処理およびリボケーション処理について説明した。
【００５０】
次に図４を参照して、無線通信によりコンテンツデータが送受信される場合について説明する。無線通信でコンテンツデータを送受信する場合には、無線通信によりデータを送信する無線ＴＸ１５および無線通信によりデータを受信する無線ＲＸ２５を介してコンテンツデータの送受信が行われる。無線ＴＸ１５と無線ＲＸ２５との間は、通常、ＴＭＤＳ信号に施されているのと同等の暗号強度での変調がなされている。また、無線通信により画像情報等を送信する場合には、ＤＣＴ／Ｗａｖｅｌｅｔ変換等を利用した方法により画像信号に応じた画像データの圧縮等を行い、転送レートを低減させて送信している。したがって、ＨＤＣＰによりコンテンツデータが暗号化されると、コンテンツデータを復号化したのちに無線通信により画像データを送信するため再度コンテンツデータを暗号化しなければならず、処理が複雑となってしまう。
【００５１】
一方、ＨＤＣＰ規格においては、ＴＭＤＳ信号経路と同等の暗号強度が確保されている場合には、ＴＭＤＳ信号経路を伝送する必要はないこととなっている。そこで、無線通信によりコンテンツデータを送受信する場合には、ＴＭＤＳ１１およびＴＭＤＳ２１によるデータの送受信は行わずに、無線ＴＸ１５および無線ＲＸ２５によるデータの送受信を行えば、上記した複雑な暗号／復号処理を行わなくてもよいこととなる。
【００５２】
しかしながら、無線通信によりＴＭＤＳ信号経路と同等の暗号強度が確保されたとしても、上記したＨＤＣＰによるリボケーション処理を行わなければコンテンツを保護することができない。リボケーション処理を行わない場合には、無線ＲＸ２５がコンテンツデータの受信を許可されていない不正な機器であっても、コンテンツデータが送信されてしまう。そこで、不正な機器であるか否かについては、ＨＤＣＰによるリボケーション処理を利用することにより、無線通信においてもコンテンツを保護することが可能となる。
【００５３】
例えば、無線ＲＸ２５がディスプレイ等に埋め込まれ、無線ＲＸ２５にＨＤＣＰ等のセキュリティ情報が収納されていない場合には、上記のリボケーション処理を行うことができずに、必ず特定のＴＸ１５と対にして使用しなければ不正コピーからコンテンツを保護することができなかった。しかし、ディスプレイ等に収納されたセキュリティ情報を用いてリボケーション処理をすれば、無線通信による暗号化を利用し、かつ、リボケーション処理を行うことができる。これにより、無線通信においても機器同士の認証を行って、送信機器と受信機器とを任意に組み合わせることが可能となる。以上、無線通信によりコンテンツデータが送受信される場合について説明した。
【００５４】
図２に戻り、第１暗号化部１０６は、入力されたコンテンツの画像情報を第１の暗号方式により暗号化する機能を有する。第１の暗号方式は、無線通信によりコンテンツデータ（画像情報）を送信する場合に用いられる暗号方式であって、上記したＴＭＤＳと同等の暗号強度が確保されている。また、第１暗号化部１０６は、入力されたコンテンツの画像情報に応じて、画像情報を圧縮したのちに第１の暗号方式により暗号化するようにしてもよい。画像情報の圧縮には、例えば、ＤＣＴ／Ｗａｖｅｌｅｔ変換（時間周波数成分変換）などを利用した方法を用いることができる。
【００５５】
第２暗号化部１０８は、入力されたコンテンツの画像情報を第２の暗号方式により暗号化する機能を有する。第２の暗号方式は、ＨＤＣＰ規格による暗号化であって、具体的には、認証処理の過程で直接接続された機器間でのみ共有される共有鍵を用いた暗号化である。また、第２暗号化部１０８は、暗号化されたコンテンツの画像情報をＴＭＤＳ変換してもよい。さらに、第２暗号化部１０８は、ＨＤＣＰ認証処理部１１０による認証処理と同期するようにしてもよい。具体的には、ＨＤＣＰ認証処理部１１０による認証が成功したのちに第２の暗号方式により暗号化する。
【００５６】
無線通信部１１８は、例えば、無線ＬＡＮ（Ｌｏｃａｌ  Ａｒｅａ  Ｎｅｔｗｏｒｋ）対応の通信装置やワイヤレスＵＳＢ対応の通信装置などの通信インタフェースである。無線通信部１１８は、第１暗号化部１０６により暗号化された画像情報を無線通信により送信する機能を有する。
【００５７】
有線通信部１２０は、例えば、有線による通信を行うワイヤー通信装置などの通信インタフェースであって、ＨＤＭＩ規格に対応した有線接続部などを例示できる。有線通信部１２０は、第２暗号化部により暗号化された画像情報を有線通信により送信する機能を有する。
【００５８】
ＨＤＣＰ認証処理部１１０は、上記したＨＤＣＰ規格による機器の認証を行う。ＨＤＣＰ認証処理部１１０は、機器情報取得部１１２、検証部１１４などを含む。機器情報取得部１１２は、データ送信装置１００に接続されている機器情報を取得する機能を有する。機器情報とは、上記したように、各機器の秘密鍵に応じて一意に定まるＫＳＶである。ＫＳＶは画像情報を送信するデータ受信装置２００やその先に接続された機器から取得する。
【００５９】
ソース機器４００は、データ送信装置１００により取得された機器情報に基づいて、データ受信装置２００やその先に接続された機器の正当性を検証する機能を有する。具体的には、上記した不正な機器のＫＳＶリストにデータ受信装置２００等のＫＳＶが含まれているか否かによりデータ受信装置２００等の正当性を検証する。その結果に基づいて出力の可否を決定する。
【００６０】
制御部１０４は、切替部１０２または切替部１２２の切り替えを制御して、無線通信部１１８を利用してデータを送受信するか、有線通信部１２０を利用してデータを送受信するか否かを制御する機能を有する。具体的には、切替部１２２を切り替えて、データ受信装置２００ａと無線通信する場合には、機器情報取得部１１２により取得する機器情報を、無線通信部１１８を介して取得する。また、データ受信装置２００ａと有線通信する場合には、有線通信部１２０を介して機器情報を取得するように切替部１２２を切り替える。
【００６１】
検証部１１４によりデータ受信装置２００ａが正当な機器であることが検証された場合には、切替部１２２を切り替えて、無線通信部１１８または有線通信部１２０を介して暗号化された画像情報をデータ受信装置２００ａに送信させる。また、切替部１０２の切り替えを制御して、データ受信装置２００ａと無線通信する場合には第１暗号化部１０６により画像情報を暗号化し、データ受信装置２００ａと有線通信する場合には第２暗号化部１０８により画像情報を暗号化するようにしてもよい。
【００６２】
記憶部１１６は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリを例示できる。記憶部１１６には、ＨＤＣＰ認証処理部１１０により取得されたデータ受信装置２００ａのＫＳＶや不正な機器のＫＳＶリスト等を記憶することができる。
【００６３】
以上、データ送信装置１００の機能構成について説明した。次に、データ受信装置２００の機能構成について説明する。無線通信部２１８は、例えば、無線ＬＡＮ対応の通信装置やワイヤレスＵＳＢ対応通信装置などの通信インタフェースである。無線通信部２１８は、データ送信装置１００から無線通信により送信されるコンテンツの画像情報を受信する機能を有する。
【００６４】
有線通信部２２０は、例えば、有線による通信を行うワイヤー通信装置などの通信インタフェースであって、ＨＤＭＩ規格に対応した有線接続部などを例示できる。有線通信部２２０は、データ送信装置１００から有線通信により送信されるコンテンツの画像情報を受信する機能を有する。
【００６５】
第１暗号化部２０６は、無線通信部２１８により受信されたコンテンツの画像情報を第１の暗号方式により暗号化する機能を有する。第１の暗号方式は、無線通信によりコンテンツデータ（画像情報）を送信する場合に用いられる暗号方式であって、上記したＴＭＤＳと同等の暗号強度が確保されている。また、第１暗号化部２０６は、入力されたコンテンツの画像情報に応じて、画像情報を圧縮したのちに第１の暗号方式により暗号化するようにしてもよい。画像情報の圧縮には、例えば、ＤＣＴ／Ｗａｖｅｌｅｔ変換（時間周波数成分変換）などを用いることができる。
【００６６】
第２暗号化部２０８は、有線通信部２２０により受信されたコンテンツの画像情報を第２の暗号方式により暗号化する機能を有する。第２の暗号方式は、ＨＤＣＰ規格による暗号化であって、具体的には、認証処理の過程で直接接続された機器間でのみ共有される共有鍵を用いた暗号化である。また、第２暗号化部２０８は、暗号化されたコンテンツの画像情報をＴＭＤＳ変換してもよい。さらに、第２暗号化部２０８は、ＨＤＣＰ認証処理部２１０による認証処理と同期するようにしてもよい。具体的には、ＨＤＣＰ認証処理部２１０による認証が成功したのちに第２の暗号方式により暗号化する。
【００６７】
ＨＤＣＰ認証処理部２１０は、上記したＨＤＣＰ規格による機器の認証およびリボケーション処理などを行う。ＨＤＣＰ認証処理部２１０は、データ受信装置２００に接続されている機器情報を取得する機能を有する。機器情報とは、上記したように、各機器の秘密鍵に応じて一意に定まるＫＳＶである。ＫＳＶは画像情報を送信するシンク機器等から取得する情報である。
【００６８】
制御部２０４は、切替部２０２または切替部２２２の切り替えを制御して、無線通信部２１８を利用してデータを送受信するか、有線通信部２２０を利用してデータを送受信するか否かを制御する機能を有する。具体的には、切替部２２２を切り替えて、データ送信装置１００と無線通信する場合には、機器情報取得部２１２により取得する機器情報を、無線通信部２１８を介して取得する。またデータ送信装置１００と有線通信する場合には、有線通信部２２０を介して機器情報を取得するように切替部２２２を切り替える。
【００６９】
次に、図５〜図８を参照して、データ送受信システム２におけるデータ送受信方法について説明する。図５は、データ送受信システム１におけるデータ送受信方法を示すフローチャートである。図５に示したように、データ送受信システム２におけるデータ送受信方法は、無線通信による接続処理（Ｓ１００）が行われたのちに、ＨＤＣＰによる認証処理（Ｓ２００）が行われる。そして、ＨＤＣＰによる認証処理（Ｓ２００）が行われたのちに、画像情報送信処理（Ｓ３００）が行われる。次に、無線通信による接続処理（Ｓ１００）、ＨＤＣＰによる認証処理（Ｓ２００）、画像情報送信処理（Ｓ３００）の各処理の詳細を説明する。
【００７０】
まず、図６を参照して、データ送受信システム２における無線通信による接続処理について説明する。図６は、データ送受信システム２における無線通信による接続処理を示すタイミングチャートである。図６に示したように、データ送信装置１００とデータ受信装置を備えたシンク機器５００との間で無線通信による接続処理が行われる。まず、データ受信装置を備えたシンク機器５００からデータ送信装置１００に対して無線通信により接続を開始する旨の通知がなされる（Ｓ１０２）。ステップＳ１０２においてデータ受信装置２００から接続開始通知がなされたデータ送信装置１００は、接続開始に対して応答（ＡＣＫ）する（Ｓ１０４）。
【００７１】
ステップＳ１０４において、データ送信装置１００から接続開始に対する応答を受信したデータ受信装置を備えたシンク機器５００は、データ受信装置を備えたシンク機器５００の認証情報を送信する（Ｓ１０６）。ステップＳ１０６においてデータ受信装置を備えたシンク機器５００から認証情報を送信されたデータ送信装置１００は、データ送信装置１００の認証情報を送信する（Ｓ１０８）。ステップＳ１０６およびステップＳ１０８において送受信される各機器の認証情報は、例えば、各機器の識別情報や、各機器の識別情報に基づいて算出された情報である。
【００７２】
そして、ステップＳ１０６およびステップＳ１０８の各機器の認証情報に基づいて、データ送信装置１００とデータ受信装置を備えたシンク機器５００との認証が行われる（Ｓ１１０）。以上、データ送受信システム２における無線通信による接続処理について説明した。ステップＳ１１０において、データ送信装置１００とデータ受信装置を備えたシンク機器５００との間で認証が成功した場合には、ＨＤＣＰによる認証処理（Ｓ２００）が行われる。以上、データ送受信システム２における無線通信による接続処理について説明した。
【００７３】
次に図７を参照して、データ送受信システム２におけるＨＤＣＰによる認証処理について説明する。図７は、データ送受信システム２におけるＨＤＣＰによる認証処理を示すタイミングチャートである。図７に示したように、ソース機器４００からデータ送信装置１００の受信側に対して、ＨＤＣＰによる認証開始の通知がなされる（Ｓ２０２）。ステップＳ２０２において認証開始の通知がなされる前にＨｏｔＰｌｕｇＤｅｔｅｃｔ要求がデータ受信装置１００を介してシンク機器５００からソース機器４００に伝達される。ステップＳ２０２においてソース機器４００からＨＤＣＰによる認証開始の通知ソース機器４００は、認証情報およびＫＳＶを取得する（Ｓ２０４）。
【００７４】
そして、データ受信装置２００の受信側は、データ送信装置１００に後段のＨＤＣＰの認証要求をする（Ｓ２０６）。ステップＳ２０６においてデータ送信装置１００の受信側から認証要求をされたデータ送信装置１００の送信側は、シンク機器５００にＨＤＣＰによる認証開始の通知をする（Ｓ２１０）。ステップＳ２１０においてデータ受信装置２００から認証開始の通知をされたシンク機器５００は、シンク機器５００の認証情報およびＫＳＶを取得する（Ｓ２１２）。
【００７５】
そして、データ送信装置１００の送信側は、データ送信装置１００の受信側に対してＫＳＶを伝達する（Ｓ２１４）。そして、ソース機器４００は、データ送信装置１００の受信側のＫＳＶリストを取得する（Ｓ２１６）。ＫＳＶリストは、上記したように、不正な機器のＫＳＶリストである。そして、ソース機器４００は、ＫＳＶリストの照合を行う（Ｓ２１８）。
【００７６】
以上、データ送受信システム２におけるＨＤＣＰによる認証処理について説明した。ステップＳ２１８において、ソース機器４００によりコンテンツの画像情報を送信する送信先が正当な機器であると判断された場合に、画像情報送信処理（Ｓ３００）が行われる。
【００７７】
次に、図８を参照して、データ送受信システム２における画像情報送信処理について説明する。図８は、データ送受信システム２における画像情報送信処理を示すタイミングチャートである。図８に示したように、ソース機器４００は、上記のステップＳ２１８において正当な機器であると判断されたデータ送信装置１００の受信側に暗号化された画像情報を送信する（Ｓ３０２）。ステップＳ３０２においてソース機器４００から画像情報を送信されたデータ送信装置１００の受信側は、ＤＣＴ／Ｗａｖｅｌｅｔ変換等の画像情報変換を行う（Ｓ３０４）。そして、ステップＳ３０４において変換された画像情報を無線通信により送信するため暗号化する（Ｓ３０６）。ステップＳ３０６において暗号化された画像情報を、データ送信装置１００の送信側に伝達する（Ｓ３０８）。
【００７８】
ステップＳ３０８においてデータ送信装置１００の送信側から無線通信により画像情報を送信されたデータ受信装置５００は、ＤＣＴ／Ｗａｖｅｌｅｔ変換等の画像情報変換を行う（Ｓ３１０）。そして、ステップＳ３１０において変換された画像情報を無線通信により送信するため暗号化する（Ｓ３１２）。ステップＳ３０６において暗号化された画像情報を、シンク機器５００に送信する（Ｓ３１４）。データ送信装置１００とシンク機器５００とが有線接続されている場合には、ステップＳ３０８において送信された画像情報がＨＤＣＰ規格による暗号化がなされたのちにＴＤＭＳ変換がなされる。その後、ＴＤＭＳ信号の経路でシンク機器に送信される。以上、データ送受信システム２における画像情報送信処理について説明した。
【００７９】
以上、第1実施形態にかかるデータ送受信システム２について説明した。データ送受信システム２によれば、ソース機器４００から出力されたコンテンツの画像情報は、無線通信によりシンク機器５００と接続する場合には、ＨＤＣＰのリボケーション処理によりシンク機器５００の正当性を確認したうえで、コンテンツの画像情報を無線通信により送信するために暗号化し、無線接続されたシンク機器５００に送信する。
【００８０】
本実施形態においては、データ送信装置１００に有線出力が備えられているため、無線通信により接続されたデータ受信装置５００についてもＨＤＣＰのリボケーション処理を行うことが可能となる。同様に、シンク機器５００にも有線入力が備えられているため、シンク機器５００についてもＨＤＣＰのリボケーション処理を行うことが可能となる。これにより、無線通信においても機器同士の認証を行って、送信機器と受信機器を任意に組み合わせることができる。すなわち、受信装置またはシンク機器にＨＤＣＰのセキュリティ情報が収納されていない場合においても、特定の送信装置以外の機器との間でも著作権を保護してコンテンツデータの送受信ができることとなる。
【００８１】
（第２の実施形態）
第２実施形態では、図１（ａ）に示したデータ送受信システム１について説明する。データ送受信システム１においては、データ送信装置１００とデータ受信装置２００とは無線通信または有線通信により接続することができる。また、データ送信装置１００はソース機器４００と有線接続されて、コンテンツの画像情報が入力される。データ受信装置２００ａは、シンク機器３００と無線または有線接続されて、データ受信装置２００ａからシンク機器３００にコンテンツの画像情報が入力される。
【００８２】
本実施形態においても、ソース機器４００においてリボケーションの判定がなされるため、データ送信装置１００を介してデータ送信装置１００に接続されているデータ受信装置２００およびシンク機器３００のＫＳＶがソース機器４００に送信される。
【００８３】
図９に示したように、データ送信装置１００は、切替部１０２、制御部１０４、第１暗号化部１０６、第２暗号化部１０８、ＨＤＣＰ認証処理部１１０、無線通信部１１８、有線通信部１２０、切替部１２２、などを備える。データ受信装置２００ａは、切替部２０２、制御部２０４、第１暗号化部２０６、第２暗号化部２０８、ＨＤＣＰ認証処理部２１０、機器情報取得部２１２、検証部２１４、無線通信部２１８、有線通信部２２０、切替部２２２、などを備える。
【００８４】
第１暗号化部１０６は、入力されたコンテンツの画像情報を第１の暗号方式により暗号化する機能を有する。第１の暗号方式は、無線通信によりコンテンツデータ（画像情報）を送信する場合に用いられる暗号方式であって、上記したＴＭＤＳと同等の暗号強度が確保されている。また、第１暗号化部１０６は、入力されたコンテンツの画像情報に応じて、画像情報を圧縮したのちに第１の暗号方式により暗号化するようにしてもよい。画像情報の圧縮には、例えば、ＤＣＴ／Ｗａｖｅｌｅｔ変換（時間周波数成分変換）などを用いることができる。
【００８５】
第２暗号化部１０８は、入力されたコンテンツの画像情報を第２の暗号方式により暗号化する機能を有する。第２の暗号方式は、ＨＤＣＰ規格による暗号化であって、具体的には、認証処理の過程で直接接続された機器間でのみ共有される共有鍵を用いた暗号化である。また、第２暗号化部１０８は、暗号化されたコンテンツの画像情報をＴＭＤＳ変換してもよい。さらに、第２暗号化部１０８は、ＨＤＣＰ認証処理部１１０による認証処理と同期するようにしてもよい。具体的には、ＨＤＣＰ認証処理部１１０による認証が成功したのちに第２の暗号方式により暗号化する。
【００８６】
無線通信部１１８は、例えば、無線ＬＡＮ対応の通信装置やワイヤレスＵＳＢ対応通信装置などの通信インタフェースである。無線通信部１１８は、第１暗号化部１０６により暗号化された画像情報を無線通信により送信する機能を有する。
【００８７】
有線通信部１２０は、例えば、有線による通信を行うワイヤー通信装置などの通信インタフェースであって、ＨＤＭＩ規格に対応した有線接続部などを例示できる。有線通信部１２０は、第２暗号化部により暗号化された画像情報を有線通信により送信する機能を有する。
【００８８】
ＨＤＣＰ認証処理部１１０は、データ受信装置２００に接続されている機器情報を取得する機能を有する。機器情報とは、上記したように、各機器の秘密鍵に応じて一意に定まるＫＳＶである。ＫＳＶは画像情報を送信するシンク機器等から取得する情報である。
【００８９】
制御部１０４は、切替部１０２または切替部１２２の切り替えを制御して、無線通信部１１８を利用してデータを送受信するか、有線通信部１２０を利用してデータを送受信するか否かを制御する機能を有する。具体的には、切替部１２２を切り替えて、データ受信装置２００と無線通信する場合には、機器情報取得部１１２により取得する機器情報を、無線通信部１１８を介して取得する。また、データ受信装置２００と有線通信する場合には、有線通信部１２０を介して機器情報を取得するように切替部１２２を切り替える。
【００９０】
以上、データ送信装置１００の機能構成について説明した。次に、データ受信装置２００の機能構成について説明する。無線通信部２１８は、例えば、無線ＬＡＮ対応の通信装置やワイヤレスＵＳＢ対応通信装置などの通信インタフェースである。無線通信部２１８は、データ送信装置５００から無線通信により送信されるコンテンツの画像情報を受信する機能を有する。
【００９１】
有線通信部２２０は、例えば、有線による通信を行うワイヤー通信装置などの通信インタフェースであって、ＨＤＭＩ規格に対応した有線接続部などを例示できる。有線通信部２２０は、データ送信装置５００から有線通信により送信されるコンテンツの画像情報を受信する機能を有する。
【００９２】
第１暗号化部２０６は、無線通信部２１８により受信されたコンテンツの画像情報を第１の暗号方式により暗号化する機能を有する。第１の暗号方式は、無線通信によりコンテンツデータ（画像情報）を送信する場合に用いられる暗号方式であって、上記したＴＭＤＳと同等の暗号強度が確保されている。また、第１暗号化部２０６は、入力されたコンテンツの画像情報に応じて、画像情報を圧縮したのちに第１の暗号方式により暗号化するようにしてもよい。画像情報の圧縮には、例えば、ＤＣＴ／Ｗａｖｅｌｅｔ変換（時間周波数成分変換）などを用いることができる。
【００９３】
第２暗号化部２０８は、有線通信部２２０により受信されたコンテンツの画像情報を第２の暗号方式により暗号化する機能を有する。第２の暗号方式は、ＨＤＣＰ規格による暗号化であって、具体的には、認証処理の過程で直接接続された機器間でのみ共有される共有鍵を用いた暗号化である。また、第２暗号化部２０８は、暗号化されたコンテンツの画像情報をＴＭＤＳ変換してもよい。さらに、第２暗号化部２０８は、ＨＤＣＰ認証処理部２１０による認証処理と同期するようにしてもよい。具体的には、ＨＤＣＰ認証処理部２１０による認証が成功したのちに第２の暗号方式により暗号化する。
【００９４】
ＨＤＣＰ認証処理部２１０は、上記したＨＤＣＰ規格による機器の認証を行う。ＨＤＣＰ認証処理部２１０は、データ受信装置２００に接続されている機器情報を取得する機能を有する。機器情報とは、上記したように、各機器の秘密鍵に応じて一意に定まるＫＳＶである。ＫＳＶは画像情報を送信するシンク機器等から取得する情報である。
【００９５】
制御部２０４は、切替部２０２または切替部２２２の切り替えを制御して、無線通信部２１８を利用してデータを送受信するか、有線通信部２２０を利用してデータを送受信するか否かを制御する機能を有する。具体的には、切替部２２２を切り替えて、データ送信装置５００と無線通信する場合には、機器情報取得部２１２により取得する機器情報を、無線通信部２１８を介して取得する。また、データ送信装置５００と有線通信する場合には、有線通信部２２０を介して機器情報を取得するように切替部２２２を切り替える。以上、データ受信装置２００の機能構成について説明した。
【００９６】
第２実施形態における無線通信による接続処理、ＨＤＣＰによる認証処理および画像情報送信処理については、第１実施形態にかかる無線通信による接続処理（Ｓ１００）、ＨＤＣＰによる認証処理（Ｓ２００）、画像情報送信処理（Ｓ３００）とほぼ同様であるため、詳細な説明は省略する。
【００９７】
第２実施形態においては、データ送信装置１００の送信側とデータ受信装置２００の受信側において無線通信による認証が実行される。そして、後段のＨＤＣＰの認証要求がデータ送信装置１００からデータ受信装置２００を介してシンク機器３００に通知される。その後、シンク機器３００の認証情報およびＫＳＶがデータ受信装置２００を介してデータ送信装置１００に伝達される。データ送信装置１００の送信側は、ＫＳＶリストを取得してソース機器４００に送信する。そして、ソース機器４００においてＫＳＶリストの照合が実行されることとなる。
【００９８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９９】
例えば、上記実施形態では、切替部を設けて第１の暗号方式により暗号化するか第２の暗号方式により暗号化するか否かの切り替えを行っているが、本発明はかかる例に限定されない。例えば、第１の暗号方式および第２の暗号方式のいずれの暗号化も行って、暗号化されたコンテンツの画像情報の出力を制御するようにしてもよい。また、ＴＭＤＳ回路からの信号出力と無線送受信機からの信号出力を制御するようにしてもよい。
【図面の簡単な説明】
【０１００】
【図１】本発明の実施形態にかかるデータ送受信システムの概要を説明する説明図である。
【図２】本発明の第１実施形態にかかるデータ送信装置およびデータ受信装置の機能構成を示すブロック図である。
【図３】同実施形態にかかるＨＤＣＰ規格における認証処理およびリボケーション処理について説明する説明図である。
【図４】同実施形態にかかる無線通信によりコンテンツデータが送受信される場合について説明する説明図である。
【図５】同実施形態にかかるデータ送受信方法を示すフローチャートである。
【図６】同実施形態にかかる無線通信による接続処理を示すタイミングチャートである。
【図７】同実施形態にかかるＨＤＣＰによる認証処理を示すタイミングチャートである。
【図８】同実施形態にかかる画像情報送信処理を示すタイミングチャートである。
【図９】本発明の第２の実施形態にかかるデータ送信装置およびデータ受信装置の機能構成を示すブロック図である。
【符号の説明】
【０１０１】
１００  データ送信装置
２００  データ受信装置
１０２、１２２、２０２、２２２  切替部
１０４、２０４    制御部
１０６、２０６    第１暗号化部
１０８、２０８    第２暗号化部
１１２、２１２    機器情報取得部
１１４、２１４    検証部
１１８、２１８    無線通信部
１２０、２２０    有線通信部
３００    シンク機器
４００    ソース機器
５００    データ送信装置を備えるシンク機器
【図１】
2010021875.tif 000003
【図２】
2010021875.tif 000004
【図３】
2010021875.tif 000005
【図４】
2010021875.tif 000006
【図５】
2010021875.tif 000007
【図６】
2010021875.tif 000008
【図７】
2010021875.tif 000009
【図８】
2010021875.tif 000010
【図９】
2010021875.tif 000011
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
入力されたコンテンツの画像情報を第１の暗号方式により暗号化する第１暗号化部と、
前記第１暗号化部により暗号化された画像情報を無線通信により送信する無線通信部と、
入力されたコンテンツの画像情報を第２の暗号方式により暗号化する第２暗号化部と、
前記第２暗号化部により暗号化された画像情報を有線通信により送信する有線通信部と、
接続されている機器情報を取得する機器情報取得部と、
前記機器情報取得部により取得された前記機器情報に基づいて、前記データ受信装置の正当性を検証する検証部と、
前記無線通信部を介して前記機器情報を取得させるか前記有線通信部を介して前記機器情報を取得させるか否か、前記検証部により前記データ受信装置が正当であるとことが検証された場合に前記第１暗号化部により暗号化された画像情報を前記無線通信部により送信させるか前記第２暗号化部により暗号化された画像情報を前記有線通信部により送信させるか否かを制御する制御部と、
を備える、データ送信装置。
【請求項２】
前記制御部は、前記データ受信装置と無線通信により接続されている場合に、前記検証部により前記データ受信装置の正当性を検証し、前記第１暗号化部により前記画像情報を暗号化する、請求項１に記載のデータ送信装置。
【請求項３】
前記機器情報取得部は、外部装置から不正機器の情報を取得し、
前記検証部は、前記機器情報取得部により取得された不正機器の情報に、前記データ受信装置の機器情報が含まれていない場合に、前記データ受信装置を正当な機器であると判断する、請求項１または２のいずれかに記載のデータ送信装置。
【請求項４】
前記第１暗号化部は、前記コンテンツの画像情報に応じて前記画像情報を圧縮したのちに前記第１の暗号方式により暗号化する、請求項１〜３のいずれかに記載のデータ送信装置。
【請求項５】
接続されているデータ送信装置から無線通信によりコンテンツの画像情報を受信する無線通信部と、
前記受信されたコンテンツの画像情報を第１の復号方式により復号化する第１復号化部と、
接続されているデータ送信装置から有線通信によりコンテンツの画像情報を受信する有線通信部と、
前記受信されたコンテンツの画像情報を第２の復号方式により復号化する第２復号化部と、
接続されている機器情報を取得する機器情報取得部と、
前記機器情報取得部により取得された前記機器情報に基づいて、接続されている機器の正当性を検証する検証部と、
前記無線通信部を介して前記機器情報を取得させるか前記有線通信部を介して前記機器情報を取得させるか否か、前記検証部により前記接続されている機器が正当であることが検証された場合に前記無線通信部により前記画像情報を受信して前記第１復号化部により前記画像情報を復号化させるか前記有線通信部により前記画像情報を受信して前記第２復号化部により前記画像情報を復号化させるか否かを制御する制御部と、
を備える、データ受信装置。
【請求項６】
前記制御部は、前記機器と無線通信により接続されている場合に、前記検証部により前記機器の正当性を検証し、前記第１復号化部により前記画像情報を復号化する、請求項５に記載のデータ受信装置。
【請求項７】
前記機器情報取得部は、外部装置から不正機器の情報を取得し、
前記検証部は、前記機器情報取得部により取得された不正機器の情報に、前記接続されている機器の情報が含まれていない場合に、前記接続されている機器を正当な機器であると判断する、請求項５または６のいずれかに記載のデータ受信装置。
【請求項８】
前記第１復号化部は、前記コンテンツの画像情報に応じて前記画像情報を圧縮したのちに前記第１の復号方式により復号化する、請求項５〜７のいずれかに記載のデータ受信装置。
【請求項９】
接続されているデータ送信装置と無線通信によりコンテンツの画像情報を受信する無線通信部と、
前記受信したコンテンツの画像情報を第１の復号方式により復号化する第１復号化部と、
接続されているデータ送信装置と有線通信によりコンテンツの画像情報を受信する有線通信部と、
前記受信したコンテンツの画像情報を第２の復号方式により復号化する第２復号化部と、
データ受信装置の機器情報を送信する機器情報送信部と、
前記機器情報送信部により送信された前記機器情報に基づいて前記データ送信装置により検証された、前記データ受信装置の正当性の検証結果を取得する検証結果取得部と、
前記無線通信部を介して前記機器情報を送信させるか前記有線通信部を介して前記機器情報を送信させるか否か、前記検証結果取得部により前記データ受信装置が正当であるとの検証結果を取得した場合に前記無線通信部により前記画像情報を受信して前記第１復号化部により復号させるか前記有線通信部により前記画像情報を受信して前記第２復号化部により復号させるか否かを制御する制御部と、
前記第１復号化部または前記第２復号化部により復号された前記画像情報を含む表示画面を生成する表示画面生成部と、
を備える、データ受信装置。
【請求項１０】
前記表示画面生成部は、前記データ受信装置に組み込まれた表示装置に備えられ、
前記機器情報送信部は、前記表示装置の機器情報を送信し、
前記検証結果取得部は、前記表示装置の機器情報に基づいてデータ送信装置により検証された、前記データ受信装置の正当性の検証結果を取得する、請求項９に記載のデータ受信装置。
【請求項１１】
前記第１の復号方式は、無線通信によりコンテンツの画像情報を送信する場合に用いられる復号方式である、請求項９または１０のいずれかに記載のデータ受信装置。
【請求項１２】
入力されたコンテンツの画像情報を第１の暗号方式により暗号化するステップと、
入力されたコンテンツの画像情報を第２の暗号方式により暗号化するステップと、
無線通信によりコンテンツの画像情報を受信する無線通信部を介して接続されている機器の機器情報を取得させるか、有線通信によりコンテンツの画像情報を受信する有線通信部を介して前記機器情報を取得させるか否かを判断して、接続されている機器の機器情報を取得するステップと、
前記取得された機器情報に基づいて、データ受信装置の正当性を検証するステップと、
前記データ受信装置が正当であるとことが検証された場合に前記第１の暗号方式により暗号化された画像情報を無線通信部により送信させるか前記第２の暗号方式により暗号化された画像情報を有線通信部により送信させるか否かを制御するステップと、
を含む、データ送信方法。
【請求項１３】
データ送信装置から受信したコンテンツの画像情報を第１の復号方式により復号化するステップと、
前記データ送信装置から受信したコンテンツの画像情報を第２の復号方式により復号化するステップと、
無線通信によりコンテンツの画像情報を受信する無線通信部を介して接続された機器の機器情報を取得させるか、有線通信によりコンテンツの画像情報を受信する有線通信部を介して前記機器情報を取得させるか否かを制御するステップと、
前記接続された機器の情報を取得するステップと、
前記取得された機器情報に基づいて、前記接続されている機器の正当性を検証するステップと、
前記接続されている機器が正当であるとことが検証された場合に前記無線通信部により受信して前記第１の復号方式により復号化させるか前記有線通信部により受信して前記第２の復号方式により復号化させるか否かを制御するステップと、
を含む、データ受信方法。
【請求項１４】
データ送信装置から受信したコンテンツの画像情報を第１の復号方式により復号化するステップと、
前記データ送信装置から受信したコンテンツの画像情報を第２の復号方式により復号化するステップと、
無線通信によりコンテンツの画像情報を受信する無線通信部を介してデータ受信装置の機器情報を送信させるか、有線通信によりコンテンツの画像情報を受信する有線通信部を介して前記機器情報を送信させるか否かを制御するステップと、
前記機器情報を送信するステップと、
前記送信された機器情報に基づいて前記データ送信装置により検証された、前記データ受信装置の正当性の検証結果を取得するステップと、
前記データ受信装置が正当であるとの検証結果を取得した場合に前記無線通信部により前記画像情報を受信して前記第１の復号方式により復号させるか前記有線通信部により前記画像情報を受信して前記第２の復号方式により復号させるか否かを制御するステップと、
前記第１の復号方式または前記第２の復号方式により復号された前記画像情報を含む表示画面を生成するステップと、
を含む、データ受信方法。
【手続補正２】
【補正対象書類名】明細書
【補正対象項目名】００３２
【補正方法】変更
【補正の内容】
【００３２】
まず、本発明の実施形態にかかるデータ送受信システムの概要について説明する。図１（ａ）および（ｂ）は、本実施形態にかかるデータ送受信システム１および２の構成例を示した説明図である。図１（ａ）に示したように、データ送受信システム１は、記録再生装置等のソース機器４００と、データ送信装置１００と、データ受信装置２００と、ディスプレイ等のシンク機器３００などを含んで構成される。また、図１（ｂ）に示したように、データ送受信システム２は、記録再生装置等のソース機器４００と、データ受信装置２００と、ディスプレイ等のシンク機器（データ受信も行う）５００などを含んで構成される。
【手続補正３】
【補正対象書類名】明細書
【補正対象項目名】００３３
【補正方法】変更
【補正の内容】
【００３３】
ソース機器４００は、テレビ番組や映画などのコンテンツを記録、再生する装置であって、ＨＤＣＰ（Ｈｉｇｈ−ｂａｎｄｗｉｄｔｈ
Ｄｉｇｉｔａｌ Ｃｏｎｔｅｎｔ Ｐｒｏｔｅｃｔｉｏｎ ｓｙｓｔｅｍ）等のコンテンツ保護方式を利用して、ソース機器４００の出力装置からコンテンツデータを出力させる機能を有する。ここで、ソース機器４００とデータ送信装置１００とは、例えばＨＤＭＩ（Ｈｉｇｈ−Ｄｅｆｉｎｉｔｉｏｎ
Ｍｕｌｔｉｍｅｄｉａ Ｉｎｔｅｒｆａｃｅ）等のインタフェース規格に対応し、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）等の伝送方式によりコンテンツデータを送信している。
【手続補正４】
【補正対象書類名】明細書
【補正対象項目名】００３５
【補正方法】変更
【補正の内容】
【００３５】
また、データ送受信システム２においても同様に、ソース機器４００からデータ受信装置２００を介してコンテンツデータが出力される。データ受信装置２００とデータ受信も行うシンク機器５００とは無線通信により接続されており、データ受信装置２００から暗号化されたコンテンツデータが送信され、シンク機器５００によりコンテンツデータが受信されて同機器内のディスプレイ等に表示される。
【手続補正５】
【補正対象書類名】明細書
【補正対象項目名】００３６
【補正方法】変更
【補正の内容】
【００３６】
上記したように、ソース機器４００とデータ受信装置２００とはＨＤＣＰ等のコンテンツ保護方式を利用してコンテンツデータの送信等を行っている。上記ＨＤＣＰ規格では、送信側と受信側の機器認証や認証のための鍵共有方式、伝送されるコンテンツの暗号方式などが規定されている。また、ＨＤＣＰ規格の認証においては、公開鍵暗号により通信相手の装置を個別に認証するためのデバイス鍵が利用されている。送信装置と受信装置の間で認証が成功すると、送信装置はデバイス鍵を用いて映像信号を暗号化して送信し、受信装置はデバイス鍵を用いて受信された映像信号を復号する。
【手続補正６】
【補正対象書類名】明細書
【補正対象項目名】００４２
【補正方法】変更
【補正の内容】
【００４２】
図２は、データ送信装置１００およびデータ受信も行うシンク機器５００のデータ受信部分の機能構成を示すブロック図である。本実施形態においては、データ送信装置１００とシンク機器５００とは無線通信または有線通信により接続することができる。また、データ送信装置１００にはコンテンツの画像情報が入力される。シンク機器５００に画像情報が入力される。
【手続補正７】
【補正対象書類名】明細書
【補正対象項目名】００４５
【補正方法】変更
【補正の内容】
【００４５】
ＨＤＭＩ接続されたＴＸ１０とＲＸ２０においては、ＨＤＣＰ規格による認証処理等を行っている。すなわち、ＨＤＣＰ規格では、以下の（１）〜（３）の処理を行うことによりコンテンツデータの著作権保護を実現している。
（１）ＴＸ１０とＲＸ１０との間の認証および共有鍵の共有
（２）共有鍵によるコンテンツデータの暗号／復号
（３）ＫＳＶによるリボケーション処理
【手続補正８】
【補正対象書類名】明細書
【補正対象項目名】００４６
【補正方法】変更
【補正の内容】
【００４６】
上記（１）においては、ＴＸ１０とＲＸ２０に予め与えられた秘密鍵を利用して、ＴＸ１０とＲＸ１０との間で相互に認証を行うとともに、データを暗号化するのに必要な共有鍵をＴＸ１０とＲＸ１０とで共有する。共有鍵は、ＨＤＣＰ規格による認証処理の過程で、直接接続された機器間でのみ共有される。
【手続補正９】
【補正対象書類名】明細書
【補正対象項目名】００４７
【補正方法】変更
【補正の内容】
【００４７】
上記（２）では、（１）の処理において共有した共有鍵を使用してＴＸ１０でデータを暗号化してＴＭＤＳにより伝送し、ＲＸ２０で共有鍵を用いてデータを復号する。